(57)【要約】このエレベータ装置は、昇降路内を昇降するかごと、前記昇降路内を前記かごに連動して昇降する釣合重りと、前記かごおよび前記釣合重りを昇降路内に吊り下げているロープと、このロープを巻き掛けした車と、前記ロープを駆動させて前記かごおよび前記釣合重りを昇降させる駆動装置と、前記ロープの前記車に対する出入口付近に設けられ、前記ロープの前記出入口から前記車と前記ロープとの間に落下物が侵入するのを防止する侵入防止具とを備え、取付部材に取り付けられた前記侵入防止具は、取付部材に対して回動点を中心に回動して侵入防止具の先端と前記ロープとの間の距離が調整されるようになっている。
2004013029.tif 000002
【特許請求の範囲】
【請求項１】
昇降路内を昇降するかごと、前記昇降路内を前記かごに連動して昇降する釣合重りと、前記かごおよび前記釣合重りを昇降路内に吊り下げているロープと、このロープを巻き掛けした車と、前記ロープを駆動させて前記かごおよび前記釣合重りを昇降させる駆動装置と、前記ロープの前記車に対する出入口付近に設けられ、前記ロープの前記出入口から前記車と前記ロープとの間に落下物が侵入するのを防止する侵入防止具とを備え、
取付部材に取り付けられた前記侵入防止具は、取付部材に対して回動点を中心に回動して侵入防止具の先端と前記ロープとの間の距離が調整されるようになっているエレベータ装置。
【請求項２】
前記車の両側の前記出入口付近のそれぞれに侵入防止具が設けられている請求項１に記載のエレベータ装置。
【請求項３】
前記侵入防止具は、前記回動点の箇所である第１の締付具で前記取付部材に固定されたブラケットと、押さえ板と、前記ブラケットおよび前記押さえ板で挟まれて第２の締結具で固定された接触片とを備え、前記接触片の先端は前記ロープに指向している請求項１または請求項２に記載のエレベータ装置。
【請求項４】
前記接触片は、弾性体で構成されている請求項３に記載のエレベータ装置。
【請求項５】
前記接触片は、先端部に複数の前記ロープに接触する複数の溝部が形成されている請求項３または請求項４に記載のエレベータ装置。
【請求項６】
前記接触片は、複数の前記ロープの配列方向に延びた幅広で前記第２の締結具が挿入された長孔が基端部に形成されており、前記接触片は、前記ブラケットに対して前記配列方向に移動調整可能になっている請求項３ないし請求項５の何れかに記載のエレベータ装置。
【請求項７】
前記接触片の前記基端部には、前記長孔に連通した通り部が形成されており、この通り部により、前記接触片は、前記ブラケット、前記押さえ板および前記第２の締付具から取り外し可能になっている請求項６に記載のエレベータ装置。
【請求項８】
前記接触片には、さらに他の接触片が重ねて設けられており、前記接触片が取り外された後、前記他の接触片は、前記第１の締付具を中心にした前記侵入防止具の回動により、先端が前記ロープに接近するようになっている請求項５ないし請求項７の何れかに記載のエレベータ装置。
【発明の詳細な説明】
【技術分野】  この発明は、綱車等に巻き掛けされたロープを駆動させてかごおよび釣合重りを昇降させるエレベータ装置に関するものである。
【背景技術】  図１０は従来のエレベータ装置の要部側面図であり、ロープ２の綱車の出入口付近にロープ２の出入口から綱車とロープ２との間に落下物が侵入するのを防止する侵入防止具２０が設けられている。
この侵入防止具２０は、巻上機１に対して摺動可能なベース２１と、このベース２１に締付具３７で固定された断面への字形状のブラケット２６と、このブラケット２６と押さえ板３２とで挟まれ締結具３４で固定された接触片３８とを備えている。接触片３８は、弾性体であるウレタンで構成されているとともにその先端がロープ２に接触し得る距離まで接近して配置されている。
ところで、エレベータ装置の据え付け時や保守点検時に、コンクリート小片、螺子、ナット等の落下物が昇降路の上部から落下して例えば綱車に侵入することがある。この状態でかごや釣合重りが上下動すると、落下物が綱車とロープ２との間に挟み込まれてロープ２を損傷させ、ロープ２の寿命が著しく短くなってしまうことになる。
そのような不都合を防止するために、落下物が綱車に侵入するのを防止する侵入防止具２０がロープ２の綱車の出入口付近に取り付けられている。
このものの場合、据付レイアウトによりロープ２の振れ角が変化したときには、巻上機１に対して侵入防止具２０を摺動して接触片３８とロープ２との間の距離を調整しているので、この距離は、振れ角が最大限に大きく変化することを想定して設定しなければならず、その結果巻上機１に対する侵入防止具２０の摺動距離が大きくなり、それだけ侵入防止具２０の取り付けスペースが大きくなってしまうという問題点があった。
【発明の開示】
この発明は、上記のような問題点を解決することを課題とするものであって、ロープの大きな振れ角変化に対して影響を受けることなく侵入防止具の取り付けスペースを小さくてすむエレベータ装置を得ることを目的とする。
この発明によるエレベータ装置は、昇降路内を昇降するかごと、前記昇降路内を前記かごに連動して昇降する釣合重りと、前記かごおよび前記釣合重りを昇降路内に吊り下げているロープと、このロープを巻き掛けした車と、前記ロープを駆動させて前記かごおよび前記釣合重りを昇降させる駆動装置と、前記ロープの前記車に対する出入口付近に設けられ、前記ロープの前記出入口から前記車と前記ロープとの間に落下物が侵入するのを防止する侵入防止具とを備え、取付部材に取り付けられた前記侵入防止具は、取付部材に対して回動点を中心に回動して侵入防止具の先端と前記ロープとの間の距離が調整されるようになっている。
【図面の簡単な説明】  図１はこの発明の実施の形態１のエレベータ装置の侵入防止具の正面図、
図２は図１の侵入防止具の右側側面図、
図３は図１の侵入防止具の使用態様を示す図、
図４は図３の侵入防止具の右側側面図、
図５は図４の第１の接触片が侵入防止具から取り外される様子を示す図、
図６はエレベータ装置が駆動時の侵入防止具の使用態様を示す図、
図７は図６の侵入防止具の拡大図、
図８は図７の侵入防止具の右側側面図、
図９は図１の侵入防止具の別の使用態様を示す図、
図１０は従来のエレベータ装置の侵入防止具の正面図である。
【発明を実施するための最良の形態】  以下、この発明の好適な実施の形態について図面を参照して説明するが、従来のものと同一、相当部材、部位については、同一符号を付して説明する。
実施の形態１．
図１はこの発明の実施の形態１のエレベータ装置の侵入防止具の正面図、図２は図１の侵入防止具の右側側面図、図３は図１の侵入防止具の使用態様を示す図、図４は図３の侵入防止具の右側側面図、図５は図４の第１の接触片が侵入防止具から取り外される様子を示す図、図６はエレベータ装置が駆動時の侵入防止具の使用態様を示す図、図７は図６の侵入防止具の拡大図、図８は図７の侵入防止具の右側側面図である。
このエレベータ装置は、昇降路内を昇降するかご（図示せず）と、昇降路内をかごに連動して昇降する釣合重り（図示せず）と、かごおよび釣合重りを昇降路内に吊り下げているロープ２と、このロープ２を巻き掛けした綱車３および綱車３を駆動させる駆動装置である電動機を有し、電動機を駆動させてロープ２を介してかごおよび釣合重りを昇降させる巻上機１と、ロープ２の綱車３に対する出入口付近の両方に設けられ、ロープ２に対して角度調整可能でロープ２の出入口から綱車３とロープ２との間に落下物が侵入するのを防止する侵入防止具４とを備えている。
この侵入防止具４は、巻上機１に固定された取付部材である取付台５に第１の締付具７で固定されたブラケット６と、押さえ板２２と、ブラケット６と押さえ板２２とで挟まれ第２の締結具２４で固定された第１の接触片８および第２の接触片３０とを備えている。第１の接触片８および第２の接触片３０は、弾性体であるウレタンで構成されている。
第１の接触片８は、先端部に複数のロープ２に接触する複数の溝部８ａが形成され、また基端部に複数のロープ２の配列方向に延びた幅広で第２の締結具２４が挿入された長孔８ｂが形成されている。また、第１の接触片８の基端部には、長孔８ｂに連通した通り部８ｃが形成されており、この通り部８ｃにより、第１の接触片８は、ブラケット６、押さえ板２２および第２の締付具２４から取り外し可能になっている。
第１の接触片８に重ねられた第２の接触片３０は、第１の接触片８が取り外された後に、第１の締付具７を中心にした侵入防止具４の回動により、その先端がロープ２に接近するようになっている。
このエレベータ装置では、据え付け時には、先ず巻上機１の綱車３にロープ２を巻き掛けした後に侵入防止具４を取付台５に取り付ける。この際、第１の締付具７および第２の締付具２４を緩め、第１の接触片８の先端部の溝部８ａがロープ２に軽く接触するように調整する。この調整は、取付台６に対するブラケット６の角度を変え、また第１の接触片８をロープ２の配列方向に左右に移動させて行われる。
このように、調整は、取付台６に対して第１の締付具７を回動点として侵入防止具４を回動して行うことができるので、従来のスライド方式のものと比較して侵入防止具４の取り付けスペースが小さくてよい。
また、ロープ２の配列方向に対する第１の接触片８の移動は、長孔８ｂが上記配列方向に延びているので、円滑に行われる。
また、第１の接触片８は弾性体であるウレタンで構成されているので、第１の接触片８と接触するロープ２の破損を防止することができる。
このように、エレベータ装置の据え付け時に、最初に侵入防止具４を取り付けることで、据え付け時に、コンクリート小片、螺子、ナット等の落下物が昇降路の上部から綱車３に向かって落下しても、その落下物は侵入防止具４の第１の接触片８に衝突し、綱車３とロープ２との間に侵入するようなことは防止される。
据え付け完了後は、第２の締付具２４を緩め、第１の接触片８を抜き取る。この抜き取りは、第１の接触片８の基端部に、長孔８ｂに連通した通り部８ｃが形成されているので、第１の接触片８は、ブラケット６、押さえ板２２および第２の締付具２４から簡単に取り外しできる。
この後、第２の締付具２４を締め付けることで第２の接触片３０をブラケット６と押さえ板２２との間に強固に固定する。
その次に、第１の締付具７を緩め、第２の接触片３０の先端とロープ２との間の間隔ｔが約３ｍｍ程度になるように、取付台６に対して第１の締付具７を回動点として侵入防止具４を回動した後、第１の締付具７を締め付ける。
このようにすることで、エレベータ装置の通常の使用時に予想される少量の落下物が昇降路の上部から綱車３に向かって落下しても、その落下物は侵入防止具４の第２の接触片３０に衝突し、綱車３とロープ２との間に侵入するようなことは防止される。
また、第２の接触片３０は、弾性体であるウレタンで構成されているので、ロープ２が第２の接触片３０と接触したとしても、そのことによるロープ２の破損を防止することができる。
また、図９に示すように、据付レイアウトによりロープ２の振れ角が変化したときには、綱車３の両側の出入口付近のそれぞれの侵入防止具４の取付台５に対する角度を第１の締付具７を回動点として変えることで対応できる。
なお、上記実施の形態では、機械室レス巻上機の綱車３とロープ２との間に落下物が侵入するのを防止する侵入防止具４について説明したが、この侵入防止具は、釣合重りの吊り車等の昇降路内のロープを巻き掛けする他の車にも適用できるのは勿論である。
また、接触片８、３０は弾性体であるウレタンを用いたが、勿論これ以外の例えばゴムであってもよい。また、接触片８、３０の交換は、第２の締付具２４を侵入防止具４から取り外すことで簡単に行うことができる。
また、取付部材として巻上機１に固定された取付台５を用い、この取付台５に侵入防止具４を取り付けたが、場合によっては、巻上機に侵入防止具を直接取り付けてもよい。
【産業上の利用可能性】  以上のように、この発明は、綱車等に巻き掛けされたロープを駆動させてかごおよび釣合重りを昇降させるエレベータ装置に適用できる。
【図１】
2004013029.tif 000003
【図２】
2004013029.tif 000004
【図３】
2004013029.tif 000005
【図４】
2004013029.tif 000006
【図５】
2004013029.tif 000007
【図６】
2004013029.tif 000008
【図７】
2004013029.tif 000009
【図８】
2004013029.tif 000010
【図９】
2004013029.tif 000011
【図１０】
2004013029.tif 000012
【国際調査報告】
2004013029.tif 000013
2004013029.tif 000014